(57)【要約】【課題】商品配送業務に関与する者が新たに控を作成する必要がない、葉書付き配送伝票を提供する。【課題の解決手段】葉書付き配送伝票１は、伝票基材４の裏面側には接着剤６を塗布するとともに剥離紙５を剥離可能に接着し、伝票基材４の表面側には伝票基材４と同一大の第１シート３と第２シート２を順次重ね合わせてなり、第１シート２は切り用ミシン目７を介して連接された葉書片８と貼付票片９とからなって、伝票基材４に貼付票片９は剥離困難に、葉書片８は剥離可能にそれぞれ接着し、第２シート２はそれぞれ切りミシン目７，１２，１３，１４を介して連接された、貼付票片９と対応する貼付票１５と、葉書片８と対応する配達証１６、宛名人表示片１７、差出人表示片１８、及び受付店控１９とからなって、第１シート３に貼付票１５と宛名人表示片１７及び差出人表示片１８は剥離困難に、配達証１６と受付店控１９は剥離可能に、それぞれ接着してなる。【選択図】図２
2010030073.tif 000002
【特許請求の範囲】
【請求項１】
伝票基材の裏面側には接着剤を塗布するとともに剥離紙を剥離可能に接着し、前記伝票基材の表面側には第１シートと第２シートを順次重ね合わせてなり、前記第１シートは切り用ミシン目を介して連接された葉書片と貼付票片とからなって、前記伝票基材に前記貼付票片は剥離困難に、前記葉書片は剥離可能にそれぞれ接着し、前記第２シートは切りミシン目を介して連接された前記貼付票片と対応する貼付票と、前記葉書片と対応する配達証、葉書補助片、及び受付店控とからなって、前記第１シートに前記貼付票と前記葉書補助片は剥離困難に、前記配達証と前記受付店控は剥離可能に、それぞれ接着してなることを特徴とする葉書付き配送伝票。
【発明の詳細な説明】
【技術分野】
【０００１】
本発明は、配送伝票に関し、特に葉書付きの配送伝票に関する。
【背景技術】
【０００２】
従来から葉書付きの配送伝票は知られているが、従来のこの種伝票では、葉書片と、貼付票と、配達証とからなるのが一般的である（例えば、特許文献１）。
【０００３】
【特許文献１】特開２０００−１１８１６７号公報
【０００４】
このため、商品配送業務に関与する過程で控を必要とする、商品販売業者や商品配送業者の受付店などでは、配送伝票に控がないので、新たに作成しなければならず、煩雑で、作業効率が劣るという不都合があった。
【発明の開示】
【発明が解決しようとする課題】
【０００５】
本発明は、このような事情に鑑みてなされたもので、商品販売業者や商品配送業者の受付店などで新たに控を作成する必要のない、葉書付き配送伝票を提供することを目的とする。
【課題を解決するための手段】
【０００６】
この目的を達成するために、本発明に係る葉書付き配送伝票は、伝票基材の裏面側には接着剤を塗布するとともに剥離紙を剥離可能に接着し、前記伝票基材の表面側には、好ましくは伝票基材と同一大の第１シートと第２シートを順次重ね合わせてなり、前記第１シートは切り用ミシン目を介して連接された葉書片と貼付票片とからなって、前記伝票基材に前記貼付票片は剥離困難に、前記葉書片は剥離可能にそれぞれ接着し、前記第２シートは切りミシン目を介して連接された前記貼付票片と対応する貼付票と、前記葉書片と対応する配達証、葉書補助片、及び受付店控とからなって、前記第１シートに前記貼付票と前記葉書補助片は剥離困難に、前記配達証と前記受付店控は剥離可能に、それぞれ接着してなるものである。
【発明の効果】
【０００７】
本発明に係る葉書付き配送伝票によれば、配送伝票表裏面に段差がないので、印字動作や移送動作を円滑に行うことができ、また、受付店控を備えているので、商品配送業務に関与する受付店などで新たに控を作成する必要がなく、利便性に優れている、という効果を奏する。
【発明を実施するための最良の形態】
【０００８】
以下、本発明の好適な実施形態を添付図面に基づき説明する。ここにおいて、図１は葉書付き配送伝票の平面図、図２は図１のＡ−Ａ線断面図、図３は分離した葉書を示す断面図である。
【０００９】
図１及び図２に示すように、葉書付き配送伝票１は、同一大の第２シート２、第１シート３、伝票基材４及び剥離紙５を上から順に重ね合わせてなる。すなわち、前記伝票基材４の裏面側（下側）には接着剤６を塗布するとともに表面に剥離処理を施した剥離紙５を剥離可能に接着し、前記伝票基材４の表面側（上側）には第１シート３と第２シート２を順次重ね合わせてなる。
【００１０】
図２に示すように、第１シート３は切り用ミシン目７を介して連接された葉書片８と貼付票片９とからなり、伝票基材４に対して、前記貼付票片９は公知の接着力の強い接着剤１０によって剥離困難に、前記葉書片８は公知の接着力の弱い接着剤１１によって剥離可能に、それぞれ接着している。
【００１１】
図１及び図２に示すように、第２シート２は切りミシン目７，１２，１３，１４を介して連接された、貼付票片９と対応する貼付票１５と、葉書片８と対応する配達証１６、葉書補助片たる宛名人表示片１７と差出人表示片１８、及び受付店控１９とからなり、第１シート３に対して、前記貼付票１５と前記宛名人表示片１７と前記差出人表示片１８は、公知の接着力の強い接着剤２０によって剥離困難に、前記配達証１６と前記受付店控１９は、公知の接着力の弱い接着剤２２によって剥離可能に、それぞれ接着している。なお、前記葉書片８は、市販の葉書と同一大であり、前記宛名人表示片１７及び前記差出人表示片１８とともに葉書２１を構成する（図３参照）。
【００１２】
図１に示すように、貼付票１５の表出面には「貼付票」なる表題と配送情報記入欄が、宛名人表示片１７の表出面には「郵便はがき」なる葉書表示が、配達証１６の表出面には「配達証」なる表題と配送情報記入欄及び受領印捺印欄が、受付店控１９の表出面には「受付店控」なる表題と配送情報記入欄が、それぞれあらかじめ印刷されている。そして、前記各記入欄及び他の表出部分には、当初は何も印字されていない。
【００１３】
続いて、上述のごとく構成した葉書付き配送伝票１の使用法について説明する。この葉書付き配送伝票１はインターネットやカタログを利用した商品の贈答に利用して好適なものであり、以下にこの種の贈答に適用した場合について説明する。まず、商品購入申込者は、インターネットやカタログで希望商品を選択し、購入に必要な情報を記載した電子的あるいは紙による申込書をとりまとめ会社に送付する。
【００１４】
とりまとめ会社では、葉書付き配送伝票１の第２シート２表出面に、申込書に記載された必要情報を所定位置に印字するが、この印字は葉書付き配送伝票１の表裏面に段差がないので円滑になされる。この時、図１に示すように、各配送情報記入欄への印字とともに、宛名人表示片１７には、商品贈答者である購入希望者の住所氏名を宛先情報として印字し、差出人表示片１８には、商品受領者の住所氏名を差出人情報として印字する。なお、前記第２シート２を感熱用紙で構成すれば、感熱プリンタによる印字が可能となる。また、印字する情報は、上述のものに限定されず適宜変更可能である。そして、必要情報が印字された葉書付き配送伝票１（図１参照）は商品販売会社に送付される。
【００１５】
葉書付き配送伝票１の送付を受けた商品販売会社は、受付店控１９を切り用ミシン目１４で切り離して葉書片８から剥離し、受付店控として保管する一方、剥離紙５を剥離し、露出した接着剤６で、伝票基材４を贈答品となる商品に貼付する。この配送伝票が貼付された贈答品は、配送業者の作業員によって、従来と同様にして、贈答先（届け先）に配送される。そして、配送業者の作業員は、この配送作業における適宜な時に、配達証１６を切り用ミシン目１２，１３で切り離して葉書片８から剥離し、配送先で受領印の捺印を受けて自己の属する営業所などに持ち帰り、配送終了処理業務が行われる。
【００１６】
一方、贈答品を受領した贈答先（届け先）では、切り用ミシン目７で葉書片８と宛名人表示片１７及び差出人表示片１８からなる葉書２１を切り離して伝票基材４から剥離し、贈答品を受領した旨を贈答依頼人に知らせる礼状として、適宜情報を追記したうえ投函する。このとき、前記宛名人表示片１７及び前記差出人表示片１８には、既に宛名人情報や差出人情報が印字されているので、葉書２１の使用は極めて簡便である。
【００１７】
なお、本発明は、上述した実施形態に限定されるものではなく、例えば、配達証１６を宛名人表示片１７と差出人表示片１８との間ではなく、貼付票１５側や受付店控１９側に設けて、前記宛名人表示片１７と前記差出人表示片１８とを１枚の紙片で形成してもよい。また、貼付票１５、配達証１６、宛名人表示片１７、差出人表示片１８、あるいは受付店控１９の大きさも適宜変更可能である。
【図面の簡単な説明】
【００１８】
【図１】葉書付き配送伝票の平面図。
【図２】図１のＡ−Ａ線断面図。
【図３】分離した葉書を示す断面図。
【符号の説明】
【００１９】
１      葉書付き配送伝票
２      第２シート
３      第１シート
４      伝票基材
５      剥離紙
６，１０，２０      接着力の強い接着剤
７，１２，１３，１４      切り用ミシン目
８      葉書片
９      貼付票片
１１，２２      接着力の弱い接着剤
１５      貼付票
１６      配達証
１７      宛名表示片
１８      差出人表示片
１９      受付店控
２１      葉書
【図１】
2010030073.tif 000003
【図２】
2010030073.tif 000004
【図３】
2010030073.tif 000005